(57)【要約】【課題】低コストで薄型化の可能な、ＮＤフィルタを有するデジタルスチルカメラ用シャッタを提供すること。【解決手段】シャッタ羽根３とＮＤフィルタ４は、軸１ｃに回転可能に取り付けられていて、モータＭの回転子７と一体の駆動ピン７ｃが両者の長孔３ａ，４ａに嵌合している。ＮＤフィルタ４は、シャッタ羽根３の切込部３ｂにおいてのみ、シャッタ羽根３に重合していない。シャッタ羽根３は、コイル８の非通電時に、コイルばね１０の両端が駆動ピン７ｃを挟むことにより初期位置を維持され、ＮＤフィルタ４が開口部１ａを覆っている。被写体光が明るい時の撮影は、シャッタ羽根３が初期位置にある状態で開始され、時計方向へ回転して終了する。被写体光が暗い時の撮影は、シャッタ羽根３が初期位置から反時計方向へ回転してから開始し、時計方向へ大きく回転して終了する。何れの場合も、撮影終了後は、初期位置へ復帰する。【選択図】  図２
2004212526.tif 000002
【特許請求の範囲】
【請求項１】
撮影光路用の開口部を有するシャッタ地板と、前記開口部との少なくとも一方によって円形の撮影光路用開口を形成する開口部を有していて前記シャッタ地板との間に羽根室を構成しているカバー板と、前記羽根室内に回転可能に取り付けられたシャッタ羽根と、前記シャッタ地板に対し前記シャッタ羽根と一体的に回転可能に取り付けられ該シャッタ羽根とは重合しない領域を常に有していて該シャッタ羽根の初期位置では該シャッタ羽根とは重合しない領域で撮影光路用開口を覆っているＮＤフィルタと、前記シャッタ羽根と前記ＮＤフィルタとのうち少なくとも前記シャッタ羽根に連結している駆動ピンを回転子の回転によって前記シャッタ羽根を初期位置に保っている位置から両方向へ所定の角度だけ往復作動させ該シャッタ羽根と該ＮＤフィルタとを同時に同方向へ回転させるモータと、を備えており、前記モータが、前記駆動ピンを、前記シャッタ羽根を初期位置に保っている位置から、一方へ作動させたときは、該シャッタ羽根が、撮影光路用開口を閉鎖した位置まで作動し、他方へ作動させたときは、該シャッタ羽根と該ＮＤフィルタとが、撮影光路用開口から退避した位置まで作動し得るようにしたことを特徴とするデジタルスチルカメラ用シャッタ。
【請求項２】
前記ＮＤフィルタが、前記シャッタ羽根と重合しない領域を有するようにして該シャッタ羽根に取り付けられていることを特徴とする請求項１に記載のデジタルスチルカメラ用シャッタ。
【請求項３】
前記モータが、固定子コイルへの通電方向に対応した方向へ所定の角度だけ回転する永久磁石回転子と、該回転子と一体化されている前記駆動ピンとを有しており、前記固定子コイルの非通電時には、前記駆動ピンが、コイルばねの両端部に挟まれて前記シャッタ羽根を初期位置に維持し、前記固定子コイルへの通電時には前記回転子の回転方向に対応して、前記駆動ピンが該両端部の何れか一方を撓ませて、前記シャッタ羽根を作動させるようにしたことを特徴とする請求項１又は２に記載のデジタルスチルカメラ用シャッタ。
【請求項４】
前記コイルばねが、前記モータに取り付けられていることを特徴とする請求項３に記載のデジタルスチルカメラ用シャッタ。
【請求項５】
前記シャッタ羽根が、撮影光路用開口を閉鎖した位置と、撮影光路用開口から退避した位置とで停止しているときには、作動しているときよりも前記固定子コイルへの通電電流値を小さくするようにしたことを特徴とする請求項３又は４に記載のデジタルスチルカメラ用シャッタ。
【請求項６】
前記ＮＤフィルタが、前記シャッタ羽根の前記カバー板側に配置されており、また、前記カバー板が、羽根室側の面に少なくとも一つの突条を有していて、前記シャッタ羽根と重合している前記ＮＤフィルタの一部が、該シャッタ羽根の作動中、該突条を摺動するようにしたことを特徴とする請求項１乃至５の何れかに記載のデジタルスチルカメラ用シャッタ。
【請求項７】
前記ＮＤフィルタが、透明な基板の一方の面にフィルタ用皮膜を蒸着して製作されており、該蒸着面を、撮影光を電気信号に変換する撮像素子側にして配置されていることを特徴とする請求項１乃至６の何れかに記載のデジタルスチルカメラ用シャッタ。
【発明の詳細な説明】
【０００１】
【発明の属する技術分野】
本発明は、ＮＤフィルタを備えたデジタルスチルカメラ用シャッタに関する。
【０００２】
【従来の技術】
カメラ用のシャッタには、絞り機構と共にユニット化したものが知られている。また、その場合の代表的な絞り機構としては、光軸を中心にして往復回転するリング部材が、複数枚の羽根を同時に同方向へ回転させることによって、絞り口径を連続的に変化させ得るようにしたものと、予め絞り部材に所定の口径の円形開口部を設けておき、その開口部を必要に応じて撮影光路用開口に挿入するようにしたものとがあるが、レンズシャッタを用いるデジタルスチルカメラの場合には、撮影レンズの口径が比較的小さく、沢山の口径を選択できるようにする必要性が少ないことから、前者の絞り機構を採用するのは適当でなく、低コストであることと真円度に優れていることから、殆どの場合、後者の絞り機構が採用されている。
【０００３】
ところで、最近では、デジタルスチルカメラの小型化が一層進んできているため、それに伴って、上記の絞り部材に形成されている円形開口部の口径も一層小さくする必要性が生じている。しかしながら、開口部の口径を余り小さくすると、開口部の中心を光軸に合わせる精度を高くすることが要求されたり、回折が生じて好適な画像が得られなくなってしまうという問題がある。そこで、従来から知られている技術ではあるが、絞り部材に形成されている円形開口部の口径を余り小さくすることなく、その開口部をＮＤフィルタで覆ってしまうようにした機構（例えば、特許文献１及び２参照）を採用することが注目されている。
【０００４】
【特許文献１】
特開２００１−１８８２７５号公報（第４−６頁、図１−７）
【特許文献２】
特開２００２−１３９７６５号公報（第４頁、図５，図６）
【０００５】
【発明が解決しようとする課題】
上記したように、最近では、デジタルスチルカメラの小型化が益々進み、携帯電話に内蔵されるものも現れてきた。そのため、カメラ用シャッタも、被写体側から見た外形形状を小さくするだけではなく、焦点距離の短いレンズにも対応可能とするために、撮影光路用開口の周辺領域を出来るだけ薄く構成することが要求されている。ところが、従来は、特許文献１，２にも記載されているように、ＮＤフィルタを取り付けた絞り部材とシャッタ羽根とが作動上干渉しないようにするために、それらを個別の部屋に収容しているので、なかなか薄くすることができなかった。また、シャッタ羽根を最低２枚用いていることと、そのほかに絞り部材を配置していることも、薄くできない理由であった。
【０００６】
他方、最近のカメラは電動化が進んでおり、特許文献１，２にも記載されているように、上記の絞り部材とシャッタ羽根も、個別のモータによって駆動されるようになっているため、コスト上に与える影響は極めて大きい。そのため、可能な限りの低コスト化と省電力化が要求されているが、機能の維持を図りながら、シャッタ羽根などの部品点数を削減し、出来ればモータの数も減らすようにすることは、なかなか難しい。
【０００７】
本発明は、このような問題点を解決するためになされたものであり、その目的とするところは、１枚のＮＤフィルタと１枚のシャッタ羽根とを有していて、被写体光が明るい場合の撮影と暗い場合の撮影とを、一つのモータで行えるようにした、低コスト化，省電力化，羽根室の薄型化を可能にしたデジタルスチルカメラ用シャッタを提供することである。
【０００８】
【課題を解決するための手段】
上記の目的を達成するために、本発明のデジタルスチルカメラ用シャッタは、撮影光路用の開口部を有するシャッタ地板と、前記開口部との少なくとも一方によって円形の撮影光路用開口を形成する開口部を有していて前記シャッタ地板との間に羽根室を構成しているカバー板と、前記羽根室内に回転可能に取り付けられたシャッタ羽根と、前記シャッタ地板に対し前記シャッタ羽根と一体的に回転可能に取り付けられ該シャッタ羽根とは重合しない領域を常に有していて該シャッタ羽根の初期位置では該シャッタ羽根とは重合しない領域で撮影光路用開口を覆っているＮＤフィルタと、前記シャッタ羽根と前記ＮＤフィルタとのうち少なくとも前記シャッタ羽根に連結している駆動ピンを回転子の回転によって前記シャッタ羽根を初期位置に保っている位置から両方向へ所定の角度だけ往復作動させ該シャッタ羽根と該ＮＤフィルタとを同時に同方向へ回転させるモータと、を備えており、前記モータが、前記駆動ピンを、前記シャッタ羽根を初期位置に保っている位置から、一方へ作動させたときは、該シャッタ羽根が、撮影光路用開口を閉鎖した位置まで作動し、他方へ作動させたときは、該シャッタ羽根と該ＮＤフィルタとが、撮影光路用開口から退避した位置まで作動し得るようにする。
【０００９】
その場合、前記ＮＤフィルタが、前記シャッタ羽根と重合しない領域を有するようにして該シャッタ羽根に取り付けられているようにすると、ＮＤフィルタの面積は、略シャッタ羽根と重合していない領域の大きさまで小さくできるので、コストが低減される。
【００１０】
また、前記モータが、固定子コイルへの通電方向に対応した方向へ所定の角度だけ回転する永久磁石回転子と、該回転子と一体化されている前記駆動ピンとを有しており、前記固定子コイルの非通電時には、前記駆動ピンが、コイルばねの両端部に挟まれて前記シャッタ羽根を初期位置に維持し、前記固定子コイルへの通電時には前記回転子の回転方向に対応して、前記駆動ピンが該両端部の何れか一方を撓ませて、前記シャッタ羽根を作動させるようにすると、モータの小型化と低廉化が可能になる。
【００１１】
その場合、前記コイルばねが、前記モータに取り付けられているようにすると、シャッタ地板などに直接取り付けた場合と比較して、組立加工上で有利になり、前記シャッタ羽根が、撮影光路用開口を閉鎖した位置と、撮影光路用開口から退避した位置とで停止しているときには、作動しているときよりも前記固定子コイルへの通電電流値を小さくするようにすると、省電力効果が得られる。
【００１２】
また、前記ＮＤフィルタが、前記シャッタ羽根の前記カバー板側に配置されており、また、前記カバー板が、羽根室側の面に少なくとも一つの突条を有していて、前記シャッタ羽根と重合している前記ＮＤフィルタの一部が、該シャッタ羽根の作動中、該突条を摺動するようにすると、シャッタ羽根の作動が円滑に行われると共に、ＮＤフィルタに傷が付きにくくなるという効果がある。
【００１３】
更に、ＮＤフィルタには種々の製作方法があるが、透明な基板の一方の面にフィルタ用皮膜を蒸着して製作したＮＤフィルタを使用する場合は、その蒸着面を、撮影光を電気信号に変換する撮像素子側にして配置されているようにすると、蒸着面を前記シャッタ地板側にして配置された場合に比較して、固体撮像素子とＮＤフィルタとの間の表面反射に起因するフレアの発生を抑制することが可能になる。
【００１４】
【発明の実施の形態】
本発明の実施の形態を、図示した実施例によって説明する。尚、図１は、カメラに組み込まれたときにおける本実施例の配置位置の一例を示した説明図であり、図２は、被写体側から見た本実施例の平面図であって、シャッタ羽根の初期状態を示したものであり、図３は、図２の背面図であり、図４は、図３を下方から見て要部を断面で示した図である。また、図５〜図７は、図３からカバー板を取り外して示した平面図であって、図５はシャッタ羽根の初期状態を、図６はシャッタ羽根の閉鎖状態を、図７は被写体が暗いときにおけるシャッタ羽根の閉鎖作動待機状態を示したものである。更に、図８及び図９は、本実施例の作動を説明するためのタイミングチャートであって、図８は、被写体が明るい場合の作動を説明するためのものであり、図９は、被写体が暗い場合の作動を説明するためのものである。
【００１５】
上記のように、図１は、本実施例のシャッタユニットＳが、デジタルスチルカメラに組み込まれたときの配置位置の一例を示したものであるが、この場合には、通常のレンズシャッタのように、シャッタ羽根を、撮影レンズＬを構成しているレンズ群の間に配置せず、撮影レンズＬと固体撮像素子ＣＣＤとの間に配置している。そこで、このようなシャッタユニットＳの構成を、主に図２〜図４を用いて詳しく説明するが、図２と図３は、夫々、シャッタユニットＳを、撮影レンズＬ側（即ち、被写体側）と固体撮像素子ＣＣＤ側から見て示したものであり、図４は要部を断面で示したものである。
【００１６】
シャッタ地板１は、合成樹脂製であって、撮影光路用の開口部１ａと円弧状をした長孔１ｂを有している。カバー板２は、金属製であって、後述する方法によってシャッタ地板１と一体にされており、固体撮像素子ＣＣＤ側に折り曲げられている二つの折曲部２ａ，２ｂの間の板面とシャッタ地板１との間に羽根室を構成している。また、このカバー板２は、撮影光路用の開口部２ｃと円弧状の長孔２ｄを有していて、それらをシャッタ地板１の開口部１ａと長孔１ｂに重なるようにしているが、開口部２ｃの直径は、シャッタ地板１の開口部１ａの直径よりも大きいため、本実施例においては、開口部１ａが円形の撮影光路用開口の形状を規制している。但し、開口部１ａ，２ｃの形状を変えて、開口部２ｃのみによって撮影光路用開口の形状を規制するようにしてもよいし、好ましいことではないが、開口部１ａ，２ｃの両者によって規制するようにしても差し支えない。
【００１７】
また、カバー板２は、羽根室側の面に二つの円弧状の突条２ｅ，２ｆを有しているが、本実施例の場合には、カバー板２が金属性であることから、それらの突条２ｅ，２ｆを絞り出し加工によって形成している。しかしながら、本発明は、カバー板２を合成樹脂製としても差し支えなく、その場合には、突条２ｅ，２ｄは、一体成形によって形成されることになる。また、本実施例の場合には、突条２ｅ，２ｆの各々が一連の円弧状に形成されているが、その形状は円弧状に限定されるものではないし、一連とせず複数の突部を所定の形状に配列させるようにしても構わない。更に、二つの突条２ｅ，２ｆは、何れか一方だけで足りるようにすることも可能である。
【００１８】
シャッタ地板１の羽根室側の面には、一つの軸１ｃと二つのストッパ１ｄ，１ｅが設けられており、それらの先端を、カバー板２に形成されたそれぞれの孔に嵌合させている。シャッタ羽根３は、長孔３ａと切込部３ｂとを有していて、羽根室内において、軸１ｃに回転可能に取り付けられている。ＮＤフィルタ４は、シャッタ羽根３よりも小さい面積を有していて、シャッタ羽根３よりもカバー板２側に配置されている。そして、このＮＤフィルタ４は、シャッタ羽根３と同様に、軸１ｃに回転可能に取り付けられており、シャッタ羽根３の長孔３ａと重なる位置に、その長孔３ａと同じ形状の長孔４ａを有している。また、このＮＤフィルタ４は、殆どの領域をシャッタ羽根３と重合させているが、切込部３ｂに臨んでいる領域だけは重合していない。
【００１９】
そして、このＮＤフィルタ４は、シャッタ羽根３と重合していない領域の面積を常に変えることなくシャッタ羽根３と共に作動し、上記の突条２ｅ，２ｆを摺動することによって、主に、シャッタ羽根３の切込部３ｂに臨んでいる領域が、カバー板２に摺接して傷付かないようにしているほか、摩擦抵抗を少なくして、シャッタ羽根３の作動が好適に行えるようにしている。尚、本実施例では、ＮＤフィルタ４をシャッタ羽根３と別体にしているが、接着剤等によって、シャッタ羽根３と一体となるように取り付けても構わない。その場合、ＮＤフィルタ４は、シャッタ羽根３の切込部３ｂを覆うことができる面積であればよいことになる。
【００２０】
シャッタ地板１の羽根室外の面にはモータＭが取り付けられている。現在、カメラ用シャッタの駆動源として用いられているモータは、パルス制御式のステップモータと、小型化，低廉化に有利な電流制御式のムービングマグネット型モータ（他の名称を用いる場合もある）の場合が殆どである。そして、後者のモータは、永久磁石を有する回転子が、固定子コイルへの通電方向に対応した方向へ、所定の角度範囲でだけ回転し得るようになっている。本実施例のモータＭは、このような後者のモータに属するものである。
【００２１】
第１固定子枠５は、合成樹脂製であって筒状をしており、その筒状部の軸方向の一端を閉塞部とし、他端を開放部とし、その閉塞部には軸受け用の孔５ａ（図４参照）を形成している。そして、後述するコイルを巻回するための巻き溝が、筒状部の外壁の２箇所と閉塞部とにコ字状に連設されている。他方、第２固定子枠６は、合成樹脂製であって板状をしており、図２に示すように平面形状がＬ字形をしている。また、図４から分かるように、軸受け用の孔６ａを有していて、その上側には、後述のコイルを巻回する巻き溝が形成され、第１固定子枠５に形成されたコ字状の巻き溝と共に、全体の巻き溝をロ字状にしている。
【００２２】
コイル８は、回転子７をロータ室に収容した後、第１固定子枠５と第２固定子枠６によってロ字状に構成された上記の巻き溝に巻回されている。従って、コイル８は、軸受け用の孔５ａ，６ａを囲むようにして巻回されていることになる。また、コイル８を巻回したことによって第１固定子枠５と第２固定子枠６は一体化されることになるが、実際には、巻線工程を容易にするため、回転子７をロータ室に収容してから、予め夫々に設けられた周知の手段によって両者を一体化しておき、その後にコイル８を巻回するようにしている。そして、コイル８を巻回した後には、その外側から円筒状のヨーク９が、第１固定子枠５の筒状部に装着されている。
【００２３】
本実施例の回転子７は、径方向に２極に着磁されている。また、本実施例の場合、永久磁石は円筒形をしており、図４から分かるように、両端を孔５ａ，６ａに軸受けされている回転軸７ａと、その回転軸７ａの径方向であって斜め上側に延伸して形成されているアーム部７ｂと、そのアーム部７ｂの先端に形成された駆動ピン７ｃとが、永久磁石と合成樹脂材料による所謂アウトサート加工によって一体化されている。そして、駆動ピン７ｃは、シャッタ地板１の長孔１ｂから羽根室に挿入され、羽根室内でシャッタ羽根３とＮＤフィルタ４の長孔３ａ，４ａに嵌合し、先端部をカバー板２の長孔２ｄに挿入させている。尚、この駆動ピン７ｃは、実際には、図４に示されているように、断面の面積が異なる二つの部位からなっているが、他の図面では、便宜上、それらの部位の断面が同じ直径を有しているものとして示してある。また、実際に、そのようにしたとしても、何ら問題はない。
【００２４】
本実施例においては、このような構成のモータＭに、コイルばね１０が取り付けられている。即ち、第２固定子枠６には、二つの柱６ｂ，６ｃが設けられていて、それらの先端をシャッタ地板１に設けられた孔に挿入しているが、コイルばね１０は、柱６ｂに巻回されたあと二つの腕を交叉させ、柱６ｃを挟み付けるようにさせられている。また、このコイルばね１０は、上記のコイル８の非通電時（即ち、図２，図３の状態のとき）に、それらの腕の先端で上記の駆動ピン７ｃをも挟んでおり、それにより、シャッタ羽根３は、ＮＤフィルタ４と共に、初期位置を維持されるようになっている。尚、このように、本実施例の場合には、コイルばね１０を、第２固定子枠６に取り付けているが、柱６ｂ，６ｃに相当する柱をシャッタ地板１に設け、シャッタ地板１に取り付けるようにしても差し支えない。
【００２５】
最後に、シャッタ地板１，カバー板２，モータＭの相互の取付け構成を説明する。図５に示されているように、シャッタ地板１には、二つの円形の孔１ｆ，１ｇが形成されている。また、明示していないが、カバー板２にも、それらの孔１ｆ，１ｇに対応する位置に、同一形状の孔が形成されている。更に、明示していないが、第２固定子枠６には、孔１ｆ，１ｇに対応する位置に、ねじ孔が設けられている。そこで、二つのねじ１１，１２を、カバー板２，シャッタ地板１の孔に挿入し、第２固定子枠６のねじ孔にねじ込むことによって、三者は一体化されている。
【００２６】
次に、本実施例の作動を、主に、図５〜図９を用いて説明するが、このうち、図５〜図７は、図３からカバー板２を取り除き、シャッタ羽根３の各作動位置を示したものであり、図３から単純にカバー板２を取り除いた状態が図５に示されている。シャッタ羽根３にとっては、この図５に示された位置が初期位置であり、モータＭのコイル８に通電されていなくても、コイルばね１０の両端が駆動ピン７ｃを挟み込み、この状態を維持している。そして、本実施例の場合には、カメラの電源スイッチが、オンの場合もオフの場合も、コイル８には通電されない。また、光学ファインダを備えていないカメラの場合には、電源スイッチをオンにすると、撮影レンズＬとＮＤフィルタ４を介して、固体撮像素子ＣＣＤの撮像面に結像した被写体像を、モニターによって観察可能となっている。尚、モニターによる観察像は、撮影像より精彩でなくてもよいが、被写体光が暗い場合には、カメラ側の電子回路による明るさ調整により、ＮＤフィルタ４を介した場合でも好適に観察可能となっている。
【００２７】
本実施例は、被写体光が明るい場合と暗い場合とで、シャッタ羽根３に対し、異なる作動を行わせる。そこで、先ず、被写体光が明るい場合の作動を、主に、図５，図６，図８を用いて説明するが、図８は、その作動を行うときのタイミングチャートである。尚、本実施例は、シャッタ羽根３とＮＤフィルタ４とが、あったかも一体であるかのように作動するため、必要な場合を除き、シャッタ羽根３の作動を主体にして説明することにする。このことは、被写体光が暗いときの作動を説明する場合も同じである。
【００２８】
図５の状態において電源スイッチをオンにしておき、撮影に際してレリーズボタン（スイッチ）を押すと、先ず、測光回路によって被写体光が明るい場合か暗い場合かが判断される。そして、明るい場合であると判断された場合には、シャッタ羽根３は初期位置を維持したままの状態で、固体撮像素子ＣＣＤの電荷がディスチャージされ、撮影のための露光が開始される。その後、所定時間が経過すると、露光制御回路からの信号によって、モータＭのコイル８に正方向の通電が行われ、図５において、回転子７は、駆動ピン７ｃによってコイルばね１０の一端を押しながら反時計方向へ回転する。
【００２９】
このような回転子７の回転によって、シャッタ羽根３は、駆動ピン７ｃによって反時計方向へ回転させられる。このとき、開口部１ａ（即ち、撮影光路用開口）は、その初期段階では、ＮＤフィルタ４のみによって覆われているが、所定角度を回転してからは、シャッタ羽根３によって遮光されて行く。そして、開口部１ａが完全に閉鎖されると、撮影のための露光が終了し、その直後には、シャッタ羽根３がストッパ１ｄに当接して停止させられる。図６は、その停止状態を示している。また、この撮影による露光量は、図８における斜線部の面積で表される。
【００３０】
シャッタ羽根３の閉じ作動が終了すると、固体撮像素子ＣＣＤに蓄積された撮像情報を記憶装置へ転送する一方、コイル８へ通電している正方向の電流値を小さくする。その場合、電流値を小さくすれば、当然のことながら、回転子７の回転力は低下するが、本実施例においては、そのように低下させても、回転子７の回転力は、未だコイルばね１０の付勢力より大きいため、図６の状態が好適に維持される。即ち、本実施例においては、シャッタ羽根３を閉鎖させるときには高速で作動させる必要があるため、電流値を大きくしているが、作動終了後は電流値を必要最小限にして、省電力化を図るようになっている。このようにして、記憶装置への転送が終了すると、コイル８への正方向の通電が断たれる。そのため、駆動ピン７ｃがコイルばね１０の付勢力によって押され、シャッタ羽根３を時計方向へ回転させて、図５に示した初期位置へ復帰させ、次の撮影の待機状態となる。
【００３１】
次に、レリーズボタンを押したとき、測光回路によって、被写体光が暗い場合であると判断されたときの作動を説明する。この場合には、先ず、露光制御回路からの信号によって、モータＭのコイル８に逆方向の通電が行われるため、図５において、回転子７は、駆動ピン７ｃによってコイルばね１０の他端を押しながら時計方向へ回転する。そのため、シャッタ羽根３とＮＤフィルタ４は時計方向へ回転し、ＮＤフィルタ４が開口部１ａから退いていく。そして、ＮＤフィルタ４が開口部１ａから完全に退いた後に、シャッタ羽根３がストッパ１ｅに当接することによって、両者の時計方向の回転が停止する。図７は、その停止状態を示している。
【００３２】
図７の状態が得られると、省電力化を図るために、電流値を小さくするが、それでもこの状態は維持されている。そして、この状態で、固体撮像素子ＣＣＤの電荷がディスチャージされ、撮影のための露光が開始する。その後、所定時間が経過すると、露光制御回路からの信号によって、モータＭのコイル８に正方向の通電が行われる。そのため、回転子７は、反時計方向へ回転する力を付与されると共に、コイルばね１０の付勢力も加わって、シャッタ羽根３とＮＤフィルタ４を反時計方向へ回転させていく。そして、この過程で、ＮＤフィルタ４が、開口部１ａを覆い始め、完全に覆った直後に図５の状態となる。
【００３３】
この図５の状態になっても、コイル８への正方向の通電は続けられる。そのため、回転子７は、反時計方向への回転を続けるが、それ以後は、上記の被写体光が明るい場合と同様に、駆動ピン７ｃがコイルばね１０の一端を押し、コイルばね１０の付勢力に抗して回転することになる。また、この条件下での回転になってからは、開口部１ａは、シャッタ羽根３によって遮光されていくようになる。そして、開口部１ａが完全に閉鎖されると、撮影のための露光が終了し、その直後に、図６の状態に停止させられる。従って、この撮影による露光量は、図９における斜線部の面積で表されたようになる。
【００３４】
尚、図９における開口波形は、想定される一つの態様について示したものであり、撮影を終了させるときの光量制御特性は、モータＭの回転トルク，コイルばね１０の付勢力，ＮＤフィルタ４の濃度，シャッタ羽根３の加速度などによって左右される。また、図９においては、シャッタ羽根３が図５に示された位置となる前後に、短い時間帯だけ変化しないところがあるが、これは、ＮＤフィルタ４が開口部１ａを完全に覆った瞬間から、シャッタ羽根３が開口部１ａを覆い始める瞬間までの時間帯を示したものである。
【００３５】
このようにして、開口部１ａを閉鎖するための作動が終了すると、固体撮像素子ＣＣＤに蓄積された撮像情報を記憶装置へ転送する一方、省電力化を図るために、コイル８へ通電している正方向の電流値を小さくする。そして、記憶装置への転送が終了すると、コイル８への正方向の通電を断つ。そのため、シャッタ羽根３とＮＤフィルタ４は、コイルばね１０の付勢力によって時計方向へ回転し、図５に示した状態に復帰する。しかしながら、もしも、同じ条件下で連続的に撮影する場合は、コイル８への正方向の通電を断つだけではなく、逆方向の通電を行い、シャッタ羽根３とＮＤフィルタ４を、一機に図７の状態まで作動させる。図９においては、そのように作動させる場合を、一点鎖線で示してある。
【００３６】
尚、上記の実施例においては、ＮＤフィルタ４を、シャッタ羽根３のカバー板２側に配置しているが、本発明は、そのような配置に限定されず、ＮＤフィルタ４を、シャッタ羽根３のシャッタ地板１側に配置しても差し支えない。このことは、実施例のように、ＮＤフィルタ４を、シャッタ羽根３と別体にせず、シャッタ地板１に一体に取り付ける場合も同じである。但し、何れの場合であっても、ＮＤフィルタをシャッタ地板１側に配置したときには、少なくともシャッタ羽根３と重合していない領域が傷付かないようにする工夫が必要になるが、その場合には、実施例における突条２ｅ，２ｆに相当する突条をシャッタ地板１に形成したり、その他の周知の手段によって、ＮＤフィルタがシャッタ地板１に摺接しないようにすればよい。
【００３７】
また、ＮＤフィルタには種々の製作方法がある。例えば、複数の素材をブレンドしておいて、薄板状に成形する場合もあるし、予め成形された透明な薄板基板の片面にフィルタ用皮膜を蒸着加工技術で形成する場合もある。しかしながら、最近のカメラに採用されるＮＤフィルタとしては、後者の方法で製作されたものが特に注目されている。従って、本発明を実施する場合にも、そのようなＮＤフィルタを使用することがおおいに考えられるが、その場合には、その蒸着面を固体撮像素子側にして配置するのが好ましい。そうすることによって、固体撮像素子とＮＤフィルタとの間の表面反射に起因するフレアの発生を好適に抑制することが可能になる。このことは、ＮＤフィルタを、シャッタ羽根のシャッタ地板側に配置した場合出会っても同じであることは言うまでもない。
【００３８】
更に、上記の実施例においては、シャッタ羽根の駆動源として電流制御式のムービングマグネット型モータを用いたが、ステップモータを用いることを妨げるものではない。そして、そのようにした場合には、実施例におけるコイルばねが不要になるが、通常は、回転子の磁極が４極になったり、減速機構が必要になるし、シャッタ羽根を初期位置へ復帰させるとき、必ず通電しなければならなくなる。また、上記の実施例では、駆動ピンが回転子と一体化されているが、シャッタ羽根に連結している駆動ピンを、モータによって往復作動させられる部材（通常、開閉レバーなどと言われている）に設けても差し支えない。
【００３９】
【発明の効果】
以上のように、本発明のデジタルスチルカメラ用シャッタは、被写体光が明るいとき、撮影光路用開口をＮＤフィルタで覆った状態にして撮影を行う機能を有しているにもかかわらず、羽根室内に１枚のシャッタ羽根と１枚のＮＤフィルタを配置するだけであるから、撮影光路用開口の周辺の厚さを極端に薄くすることが可能になる。また、部品点数が従来より少なくなり、特にモータを一つにすることができたので、コスト上で極めて有利になる。
【図面の簡単な説明】
【図１】カメラに組み込まれたときの実施例の配置状態の一例を示した説明図である。
【図２】被写体側から見た実施例の平面図であって、シャッタ羽根の初期状態を示したものである。
【図３】図２の背面図である。
【図４】図３を下方から見て要部を断面で示した図である。
【図５】図３からカバー板を取り外して示した平面図である。
【図６】シャッタ羽根の閉鎖状態を、図５と同じようにして示した平面図である。
【図７】被写体が暗いときにおけるシャッタ羽根の閉鎖作動待機状態を、図５と同じようにして示した平面図である。
【図８】被写体が明るい場合における実施例の作動を説明するためのタイミングチャートである。
【図９】被写体が暗い場合における実施例の作動を説明するためのタイミングチャートである。
【符号の説明】
Ｓ                      シャッタユニット
Ｌ                      撮影レンズ
ＣＣＤ                  固体撮像素子
Ｍ                      モータ
１                      シャッタ地板
１ａ，２ｃ              開口部
１ｂ，２ｄ，３ａ，４ａ  長孔
１ｃ                    軸
１ｄ，１ｅ              ストッパ
１ｆ，１ｇ，５ａ，５ａ  孔
２                      カバー板
２ａ，２ｂ              折曲部
２ｅ，２ｆ              突条
３                      シャッタ羽根
３ｂ                    切込部
４                      ＮＤフィルタ
５                      第１固定子枠
６                      第２固定子枠
６ｂ，６ｃ              柱
７                      回転子
７ａ                    回転軸
７ｂ                    アーム部
７ｃ                    駆動ピン
８                      コイル
９                      ヨーク
１０                    コイルばね
１１，１２              ねじ
【図１】
2004212526.tif 000003
【図２】
2004212526.tif 000004
【図３】
2004212526.tif 000005
【図４】
2004212526.tif 000006
【図５】
2004212526.tif 000007
【図６】
2004212526.tif 000008
【図７】
2004212526.tif 000009
【図８】
2004212526.tif 000010
【図９】
2004212526.tif 000011